(57)【要約】  本願は、ＴＴＥに頼らずに海底ケーブルに障害が発生したか否かの検出を実現するための海底ケーブル障害の判断方法及び装置を開示する。海底ケーブル障害の判断方法は、ネットワーク管理システムが、第１プリセット時間内に第１設備から、第１設備が海底ケーブルを介して第２設備から第２ハートビート信号を受信したか否かを指示するための第１検出情報を受信し、第２プリセット時間内に第２設備から、第２設備が海底ケーブルを介して第１設備から第１ハートビート信号を受信したか否かを指示するための第２検出情報を受信することと、ネットワーク管理システムが、第１検出情報及び第２検出情報に基づいて第１設備と第２設備との間の海底ケーブルに障害が発生したか否かを決定することとを含む。
2021525011.tif 000002
【特許請求の範囲】
【請求項１】
海底ケーブル障害の判断方法であって、
ネットワーク管理システムが、第１プリセット時間内に第１設備から、前記第１設備が海底ケーブルを介して第２設備から第２ハートビート信号を受信したか否かを指示するための第１検出情報を受信し、第２プリセット時間内に前記第２設備から、前記第２設備が海底ケーブルを介して前記第１設備から第１ハートビート信号を受信したか否かを指示するための第２検出情報を受信することと、
前記ネットワーク管理システムが、前記第１検出情報及び前記第２検出情報に基づいて、前記第１設備と前記第２設備との間の海底ケーブルに障害が発生したか否かを決定することとを含む、ことを特徴とする海底ケーブル障害の判断方法。
【請求項２】
前記ネットワーク管理システムが、前記第１検出情報及び前記第２検出情報に基づいて、前記第１設備と前記第２設備との間の海底ケーブルに障害が発生したか否かを決定することは、
前記第１検出情報が、前記第１設備が海底ケーブルを介して前記第２設備から前記第２ハートビート信号を受信していないことを指示する場合、前記ネットワーク管理システムが前記第２設備から前記第１設備への伝送方向における海底ケーブルに障害が発生したと決定することと、
前記第１検出情報が、前記第１設備が海底ケーブルを介して前記第２設備から前記第２ハートビート信号を受信したことを指示する場合、前記ネットワーク管理システムが前記第２設備から前記第１設備への伝送方向における海底ケーブルに障害が発生していないと決定することとを含む、ことを特徴とする請求項１に記載の方法。
【請求項３】
前記ネットワーク管理システムが、前記第１検出情報及び前記第２検出情報に基づいて、前記第１設備と前記第２設備との間の海底ケーブルに障害が発生したか否かを決定することは、
前記第２検出情報が、前記第２設備が海底ケーブルを介して前記第１設備から前記第１ハートビート信号を受信していないことを指示する場合、前記ネットワーク管理システムが前記第１設備から前記第２設備への伝送方向における海底ケーブルに障害が発生したと決定することと、
前記第２検出情報が、前記第２設備が海底ケーブルを介して前記第１設備から前記第１ハートビート信号を受信したことを指示する場合、前記ネットワーク管理システムが前記第１設備から前記第２設備への伝送方向における海底ケーブルに障害が発生していないと決定することとを含む、ことを特徴とする請求項１に記載の方法。
【請求項４】
前記ネットワーク管理システムが、第１プリセット時間内に第１設備から第１検出情報を受信し、第２プリセット時間内に第２設備から第２検出情報を受信する前に、前記方法は、さらに、
前記ネットワーク管理システムが前記第１設備及び前記第２設備に障害がないことを検出することを含む、ことを特徴とする請求項１〜３のいずれか１項に記載の方法。
【請求項５】
前記ネットワーク管理システムが第１プリセット時間内に第１設備から第１検出情報を受信する前に、前記方法は、さらに、
前記ネットワーク管理システムが、前記第２設備が前記第２ハートビート信号の送信に成功したことを指示するための第２指示情報を受信することを含み、
第２プリセット時間内に第２設備から第２検出情報を受信する前に、前記方法は、さらに、
前記ネットワーク管理システムが、前記第１設備が前記第１ハートビート信号の送信に成功したことを指示するための第１指示情報を受信することを含む、ことを特徴とする請
求項１〜４のいずれか１項に記載の方法。
【請求項６】
前記ネットワーク管理システムが前記第２設備から前記第１設備への伝送方向における海底ケーブルに障害が発生したと決定する前に、前記方法は、さらに、
前記ネットワーク管理システムが第３プリセット時間内に前記第１設備から、前記第１設備が海底ケーブルを介して前記第２設備から第４ハートビート信号を受信したか否かを指示するための第３検出情報を受信することを含む、請求項２に記載の方法。
【請求項７】
前記ネットワーク管理システムが前記第１設備から前記第２設備への伝送方向における海底ケーブルに障害が発生したと決定する前に、前記方法は、さらに、
前記ネットワーク管理システムが第４プリセット時間内に前記第２設備から、前記第２設備が海底ケーブルを介して前記第１設備から第３ハートビート信号を受信したか否かを指示するための第４検出情報を受信することを含む、請求項３に記載の方法。
【請求項８】
前記第１ハートビート信号及び前記第２ハートビート信号の変調周波数は、エルビウム添加光ファイバ増幅器ＥＤＦＡのカットオフ周波数よりも高い、ことを特徴とする請求項１〜７のいずれか１項に記載の方法。
【請求項９】
前記第１ハートビート信号及び前記第２ハートビート信号の変調深度は、プリセット閾値よりも小さい、ことを特徴とする請求項１〜８のいずれか１項に記載の方法。
【請求項１０】
前記第１ハートビート信号及び前記第２ハートビート信号の搬送波信号は、総光パワー変調方式を採用する、ことを特徴とする請求項１〜９のいずれか１項に記載の方法。
【請求項１１】
海底ケーブル障害の判断方法であって、
第１設備が海底ケーブルを介して第２設備に、前記第１設備から前記第２設備への伝送方向における海底ケーブルに障害が発生したか否かを決定するための第１ハートビート信号を送信することと、
前記第１設備が、第１プリセット時間内に海底ケーブルを介して前記第２設備からの第２ハートビート信号を受信したか否かに基づいて、前記第１設備が海底ケーブルを介して前記第２設備から前記第２ハートビート信号を受信したか否かを指示するための第１検出情報を決定することと、
前記第１設備がネットワーク管理システムに前記第１検出情報を送信することとを含む、ことを特徴とする海底ケーブル障害の判断方法。
【請求項１２】
前記第１設備が前記ネットワーク管理システムに、前記第１設備が前記第１ハートビート信号の送信に成功したことを指示するための第１指示情報を送信することをさらに含む、ことを特徴とする請求項１１に記載の方法。
【請求項１３】
前記第１設備が前記第２設備に、前記第１設備から前記第２設備への伝送方向における海底ケーブルに障害が発生したか否かを決定するための第３ハートビート信号を送信することをさらに含む、ことを特徴とする請求項１１〜１２のいずれか１項に記載の方法。
【請求項１４】
前記第１設備が、第２プリセット時間内に海底ケーブルを介して前記第２設備からの第４ハートビート信号を受信したか否かに基づいて、前記第１設備が海底ケーブルを介して前記第２設備から前記第４ハートビート信号を受信したか否かを指示するための第２検出情報を決定することと、
前記第１設備が前記ネットワーク管理システムに前記第２検出情報を送信することとをさらに含む、ことを特徴とする請求項１１〜１３のいずれか１項に記載の方法。
【請求項１５】
前記第１ハートビート信号及び前記第２ハートビート信号の変調周波数は、エルビウム添加光ファイバ増幅器ＥＤＦＡのカットオフ周波数よりも高い、ことを特徴とする請求項１１〜１４のいずれか１項に記載の方法。
【請求項１６】
前記第１ハートビート信号及び前記第２ハートビート信号の変調深度は、プリセット閾値よりも小さい、ことを特徴とする請求項１１〜１５のいずれか１項に記載の方法。
【請求項１７】
前記第１ハートビート信号及び前記第２ハートビート信号の搬送波信号は、総光パワー変調方式を採用する、ことを特徴とする請求項１１〜１６のいずれか１項に記載の方法。
【請求項１８】
ネットワーク管理システムであって、
第１プリセット時間内に第１設備から、前記第１設備が海底ケーブルを介して第２設備から第２ハートビート信号を受信したか否かを指示するための第１検出情報を受信し、第２プリセット時間内に前記第２設備から、前記第２設備が海底ケーブルを介して前記第１設備から第１ハートビート信号を受信したか否かを指示するための第２検出情報を受信するための送受信モジュールと、
前記送受信モジュールが受信した前記第１検出情報及び前記第２検出情報に基づいて、前記第１設備と前記第２設備との間の海底ケーブルに障害が発生したか否かを決定するための処理モジュールとを含む、ことを特徴とするネットワーク管理システム。
【請求項１９】
前記処理モジュールは、具体的には、
前記第１検出情報が、前記第１設備が海底ケーブルを介して前記第２設備から前記第２ハートビート信号を受信していないことを指示する場合、前記第２設備から前記第１設備への伝送方向における海底ケーブルに障害が発生したと決定し、
前記第１検出情報が、前記第１設備が海底ケーブルを介して前記第２設備から前記第２ハートビート信号を受信したことを指示する場合、前記第２設備から前記第１設備への伝送方向における海底ケーブルに障害が発生していないと決定するために用いられる、ことを特徴とする請求項１８に記載のネットワーク管理システム。
【請求項２０】
前記処理モジュールは、具体的には、
前記第２検出情報が、前記第２設備が海底ケーブルを介して前記第１設備から前記第１ハートビート信号を受信していないことを指示する場合、前記第１設備から前記第２設備への伝送方向における海底ケーブルに障害が発生したと決定し、
前記第２検出情報が、前記第２設備が海底ケーブルを介して前記第１設備から前記第１ハートビート信号を受信したことを指示する場合、前記第１設備から前記第２設備への伝送方向における海底ケーブルに障害が発生していないと決定するために用いられる、ことを特徴とする請求項１８に記載のネットワーク管理システム。
【請求項２１】
処理モジュールは、さらに、前記送受信モジュールが、第１プリセット時間内に第１設備から第１検出情報を受信し、第２プリセット時間内に第２設備から第２検出情報を受信する前に、前記第１設備及び前記第２設備に障害がないことを検出するために用いられる、ことを特徴とする請求項１８〜２０のいずれか１項に記載のネットワーク管理システム。
【請求項２２】
前記送受信モジュールは、さらに、第１プリセット時間内に第１設備から第１検出情報を受信する前記ことの前に、前記第２設備が前記第２ハートビート信号の送信に成功したことを指示するための第２指示情報を受信するために用いられ、
前記送受信モジュールは、さらに、第２プリセット時間内に第２設備から第２検出情報を受信する前記ことの前に、前記第１設備が前記第１ハートビート信号の送信に成功したことを指示するための第１指示情報を受信するために用いられる、ことを特徴とする請求
項１８〜２１のいずれか１項に記載のネットワーク管理システム。
【請求項２３】
前記送受信モジュールは、さらに、前記処理モジュールが、前記第２設備から前記第１設備への伝送方向における海底ケーブルに障害が発生したと決定する前に、第３プリセット時間内に前記第１設備から、前記第１設備が海底ケーブルを介して前記第２設備から第４ハートビート信号を受信したか否かを指示するための第３検出情報を受信するために用いられる、請求項１９に記載のネットワーク管理システム。
【請求項２４】
前記送受信モジュールは、さらに、前記処理モジュールが、前記第１設備から前記第２設備への伝送方向における海底ケーブルに障害が発生したと決定する前に、第４プリセット時間内に前記第２設備から、前記第２設備が海底ケーブルを介して前記第１設備から第３ハートビート信号を受信したか否かを指示するための第４検出情報を受信するために用いられる、請求項２０に記載のネットワーク管理システム。
【請求項２５】
第１設備であって、
海底ケーブルを介して第２設備に、前記第１設備から前記第２設備への伝送方向における海底ケーブルに障害が発生したか否かを決定するための第１ハートビート信号を送信するための送受信モジュールと、
第１プリセット時間内に前記送受信モジュールが海底ケーブルを介して前記第２設備からの第２ハートビート信号を受信したか否かに基づいて、前記第１設備が海底ケーブルを介して前記第２設備から前記第２ハートビート信号を受信したか否かを指示するための第１検出情報を決定するための処理モジュールとを含み、
前記送受信モジュールは、さらに、ネットワーク管理システムに前記第１検出情報を送信するために用いられる、ことを特徴とする第１設備。
【請求項２６】
前記送受信モジュールは、さらに、
前記ネットワーク管理システムに、前記第１設備が前記第１ハートビート信号の送信に成功したことを指示するための第１指示情報を送信するために用いられる、ことを特徴とする請求項２５に記載の第１設備。
【請求項２７】
前記送受信モジュールは、さらに、前記第２設備に、前記第１設備から前記第２設備への伝送方向における海底ケーブルに障害が発生したか否かを決定するための第３ハートビート信号を送信するために用いられる、ことを特徴とする請求項２５〜２６のいずれか１項に記載の第１設備。
【請求項２８】
前記処理モジュールは、さらに、第２プリセット時間内に海底ケーブルを介して前記第２設備からの第４ハートビート信号を受信したか否かに基づいて、前記第１設備が海底ケーブルを介して前記第２設備から前記第４ハートビート信号を受信したか否かを指示するための第２検出情報を決定するために用いられ、
前記送受信モジュールは、さらに、前記ネットワーク管理システムに前記第２検出情報を送信するために用いられる、ことを特徴とする請求項２５〜２７のいずれか１項に記載の第１設備。
【請求項２９】
通信装置であって、プロセッサとメモリとを含み、前記メモリはプログラムを記憶するために用いられ、前記プロセッサが前記メモリに記憶されているプログラムを呼び出して、請求項１〜１０のいずれか１項に記載の海底ケーブル障害の判断方法を実行する、ことを特徴とする通信装置。
【請求項３０】
通信装置であって、プロセッサとメモリとを含み、前記メモリはプログラムを記憶するために用いられ、前記プロセッサが前記メモリに記憶されているプログラムを呼び出して
、請求項１１〜１７のいずれか１項に記載の海底ケーブル障害の判断方法を実行する、ことを特徴とする通信装置。
【発明の詳細な説明】
【技術分野】
【０００１】
本願は、海底ケーブル通信の分野に関し、特に、海底ケーブル障害の判断方法及び装置に関するものである。
【背景技術】
【０００２】
海底ケーブル通信システムの発展の傾向は、徐々に海底ケーブルをオープンし（ｏｐｅｎ  ｃａｂｌｅ）、海底ケーブル通信システムと端末伝送設備（ｔｅｒｍｉｎａｌ  ｔｒａｎｓｍｉｓｓｉｏｎ  ｅｑｕｉｐｍｅｎｔ、ＴＴＥ）とをデカップリングすることである。すなわち、同じ海底ケーブル通信システムにおいて、異なるメーカーのＴＴＥを調達可能である。
【０００３】
図１に示すように、オープン海底ケーブル通信システムのアーキテクチャ概略図であり、陸上端局設備１００と、水中設備２００と、ネットワーク管理システム（ｎｅｔｗｏｒｋ  ｍａｎａｇｅｍｅｎｔ  ｓｙｓｔｅｍ、ＮＭＳ）３００と、ＴＴＥ  ＮＭＳ４００とを含む。ここで、陸上端局設備１００は、オープン海底ケーブルアクセスシステム（ｏｐｅｎ  ｃａｂｌｅ  ａｃｃｅｓｓ  ｅｑｕｉｐｍｅｎｔ、ＯＣＡＥ）１０１及びＴＴＥ１０２を含み、水中設備２００は、海底ケーブル、光増幅器、分岐装置（ｂｒａｎｃｈｉｎｇ  ｕｎｉｔ、ＢＵ）、再構成可能な光アドドロップマルチプレクサ（ｒｅｃｏｎｆｉｇｕｒａｂｌｅ  ｏｐｔｉｃａｌ  ａｄｄ−ｄｒｏｐ  ｍｕｌｔｉｐｌｅｘｅｒ、ＲＯＡＤＭ）、光等化器（ｏｐｔｉｃａｌ  ｅｑｕａｌｉｚｅｒ、ＯＥＱ）などの設備を含む。ここで、ＮＭＳ３００は、データ通信ネットワーク（ｄａｔａ  ｃｏｍｍｕｎｉｃａｔｉｏｎ  ｎｅｔｗｏｒｋ、ＤＣＮ）を介してＯＣＡＥ１０１を管理するとともに、ＯＣＡＥ１０１を介して水中設備２００を間接的に管理する。ＴＴＥ１０２とＯＣＡＥ１０１とは、オープンインターフェースを介して通信する。ＴＴＥ  ＮＭＳ４００は、ＴＴＥ１０２の管理を担当する。ＴＴＥ１０２は、海底ケーブル障害の警報情報を提供するとともに、ＴＴＥ  ＮＭＳ４００を介して警報情報をＮＭＳ３００に送信することができる。
【０００４】
しかし、ＴＴＥ１０２は異なるメーカーから調達可能であるため、警報情報の通信についても、ＴＴＥ  ＮＭＳ４００とＮＭＳ３００との間に統一された規格がない。このため、従来技術では、海底ケーブル障害の警報情報を一括して取得することは非常に困難である。
【発明の概要】
【０００５】
本願の実施例は、ＴＴＥに頼らずに海底ケーブルに障害が発生したか否かの検出を実現するための海底ケーブル障害の判断方法及び装置を提供する。
【０００６】
上記の目的を達成するために、本願の実施例は、以下の技術的解決手段を採用する。
【０００７】
第１態様では、海底ケーブル障害の判断方法を提供し、当該方法は、ネットワーク管理システムが、第１プリセット時間内に第１設備から、第１設備が海底ケーブルを介して第２設備から第２ハートビート信号を受信したか否かを指示するための第１検出情報を受信し、第２プリセット時間内に第２設備から、第２設備が海底ケーブルを介して第１設備から第１ハートビート信号を受信したか否かを指示するための第２検出情報を受信することと、ネットワーク管理システムが、第１検出情報及び第２検出情報に基づいて第１設備と第２設備との間の海底ケーブルに障害が発生したか否かを決定することとを含む。本願の実施例にて提供される海底ケーブル障害の判断方法は、海底ケーブルを介して通信する設備同士が互いにハートビート信号を送信し、ネットワーク管理システムにより各設備が反
対端のハートビート信号を受信したか否かの結果が集約され、それによりどの２つの設備間の海底ケーブルに障害が発生したかを決定し、ＴＴＥに頼らずに海底ケーブルに障害が発生したか否かを検出することが実現される。
【０００８】
可能な実施形態において、ネットワーク管理システムが、第１検出情報及び第２検出情報に基づいて第１設備と第２設備との間の海底ケーブルに障害が発生したか否かを決定することは、第１検出情報が、第１設備が海底ケーブルを介して第２設備から第２ハートビート信号を受信していないことを指示する場合、ネットワーク管理システムは第２設備から第１設備への伝送方向における海底ケーブルに障害が発生したと決定することと、第１検出情報が、第１設備が海底ケーブルを介して第２設備から第２ハートビート信号を受信したことを指示する場合、ネットワーク管理システムは第２設備から第１設備への伝送方向における海底ケーブルに障害が発生していないと決定することとを含む。
【０００９】
可能な実施形態において、ネットワーク管理システムが、第１検出情報及び第２検出情報に基づいて第１設備と第２設備との間の海底ケーブルに障害が発生したか否かを決定することは、第２検出情報が、第２設備が海底ケーブルを介して第１設備から第１ハートビート信号を受信していないことを指示する場合、ネットワーク管理システムは第１設備から第２設備への伝送方向における海底ケーブルに障害が発生したと決定することと、第２検出情報が、第２設備が海底ケーブルを介して第１設備から第１ハートビート信号を受信したことを指示する場合、ネットワーク管理システムは第１設備から第２設備への伝送方向における海底ケーブルに障害が発生していないと決定することとを含む。
【００１０】
可能な実施形態において、ネットワーク管理システムが、第１プリセット時間内に第１設備から第１検出情報を受信し、第２プリセット時間内に第２設備から第２検出情報を受信する前に、当該方法は、さらに、ネットワーク管理システムが第１設備及び第２設備に障害がないことを検出することを含む。第１設備又は第２設備に障害が発生すると、それにより送信される検出情報が不正確になったり、ネットワーク管理システムが対応する検出情報を受信できなくなったりする。
【００１１】
可能な実施形態において、ネットワーク管理システムが第１プリセット時間内に第１設備から第１検出情報を受信する前に、当該方法は、さらに、ネットワーク管理システムが、第２設備が第２ハートビート信号の送信に成功したことを指示するための第２指示情報を受信することを含み、第２プリセット時間内に第２設備から第２検出情報を受信する前に、当該方法は、さらに、ネットワーク管理システムが、第１設備が第１ハートビート信号の送信に成功したことを指示するための第１指示情報を受信することを含む。ネットワーク管理システムは、上記の指示情報に基づいて送信端のハートビート信号が正常に送信されたことを確認することができる。
【００１２】
可能な実施形態において、ネットワーク管理システムが第２設備から第１設備への伝送方向における海底ケーブルに障害が発生したと決定する前に、当該方法は、さらに、ネットワーク管理システムが第３プリセット時間内に第１設備から、第１設備が海底ケーブルを介して第２設備から第４ハートビート信号を受信したか否かを指示するための第３検出情報を受信することを含む。ネットワーク管理システムは、第１設備により複数回送信された検出情報に基づいて第２設備から第１設備への伝送方向における海底ケーブルに障害が発生したことを確認することができる。
【００１３】
可能な実施形態において、ネットワーク管理システムが、第１設備から第２設備への伝送方向における海底ケーブルに障害が発生したと決定する前に、当該方法は、さらに、ネットワーク管理システムが第４プリセット時間内に第２設備から、第２設備が海底ケーブルを介して第１設備から第３ハートビート信号を受信したか否かを指示するための第４検
出情報を受信することを含む。ネットワーク管理システムは、第２設備により複数回送信された検出情報に基づいて第１設備から第２設備への伝送方向における海底ケーブルに障害が発生したことを確認することができる。
【００１４】
可能な実施形態において、第１ハートビート信号及び第２ハートビート信号の変調周波数は、エルビウム添加光ファイバ増幅器ＥＤＦＡのカットオフ周波数よりも高い。ＥＤＦＡによるハートビート信号の減衰を小さくしたり、なくなるようにしたりすることができる。
【００１５】
可能な実施形態において、第１ハートビート信号及び第２ハートビート信号の変調深度は、プリセット閾値よりも小さい。トラフィック伝送に影響を与えず、システム光信号対雑音比を低下させないようにすることができる。
【００１６】
可能な実施形態において、第１ハートビート信号及び第２ハートビート信号の搬送波信号は、総光パワー変調方式を採用する。トラフィック帯域幅を占有しない。
【００１７】
第２態様では、海底ケーブル障害の判断方法を提供し、当該方法は、第１設備が海底ケーブルを介して第２設備に、第１設備から第２設備への伝送方向における海底ケーブルに障害が発生したか否かを決定するための第１ハートビート信号を送信することと、第１設備が第１プリセット時間内に海底ケーブルを介して第２設備からの第２ハートビート信号を受信したか否かに基づいて、第１設備が海底ケーブルを介して第２設備から第２ハートビート信号を受信したか否かを指示するための第１検出情報を決定することと、第１設備がネットワーク管理システムに第１検出情報を送信することとを含む。本願の実施例にて提供される海底ケーブル障害の判断方法は、海底ケーブルを介して通信する設備同士が互いにハートビート信号を送信し、ネットワーク管理システムにより各設備が反対端のハートビート信号を受信したか否かの結果が集約され、それによりどの２つの設備間の海底ケーブルに障害が発生したかを決定し、ＴＴＥに頼らずに海底ケーブルに障害が発生したか否かを検出することが実現される。
【００１８】
可能な実施形態において、当該方法は、さらに、第１設備がネットワーク管理システムに、第１設備が第１ハートビート信号の送信に成功したことを指示するための第１指示情報を送信することを含む。ネットワーク管理システムは、上記の指示情報に基づいて送信端のハートビート信号が正常に送信されたことを確認することができる。
【００１９】
可能な実施形態において、当該方法は、さらに、第１設備が第２設備に、第１設備から第２設備への伝送方向における海底ケーブルに障害が発生したか否かを決定するための第３ハートビート信号を送信することを含む。
【００２０】
可能な実施形態において、当該方法は、さらに、第１設備が第２プリセット時間内に海底ケーブルを介して第２設備からの第４ハートビート信号を受信したか否かに基づいて、第１設備が海底ケーブルを介して第２設備から第４ハートビート信号を受信したか否かを指示するための第２検出情報を決定することと、第１設備がネットワーク管理システムに第２検出情報を送信することとを含む。
【００２１】
可能な実施形態において、第１ハートビート信号及び第２ハートビート信号の変調周波数は、エルビウム添加光ファイバ増幅器ＥＤＦＡのカットオフ周波数よりも高い。ＥＤＦＡによるハートビート信号の減衰を小さくしたり、なくなるようにしたりすることができる。
【００２２】
可能な実施形態において、第１ハートビート信号及び第２ハートビート信号の変調深度
は、プリセット閾値よりも小さい。トラフィック伝送に影響を与えず、システム光信号対雑音比を低下させないようにすることができる。
【００２３】
可能な実施形態において、第１ハートビート信号及び第２ハートビート信号の搬送波信号は、総光パワー変調方式を採用する。トラフィック帯域幅を占有しない。
【００２４】
第３態様では、ネットワーク管理システムを提供し、当該システムは、第１プリセット時間内に第１設備から、第１設備が海底ケーブルを介して第２設備から第２ハートビート信号を受信したか否かを指示するための第１検出情報を受信し、第２プリセット時間内に第２設備から、第２設備が海底ケーブルを介して第１設備から第１ハートビート信号を受信したか否かを指示するための第２検出情報を受信するための送受信モジュールと、送受信モジュールが受信した第１検出情報及び第２検出情報に基づいて第１設備と第２設備との間の海底ケーブルに障害が発生したか否かを決定するための処理モジュールとを含む。
【００２５】
可能な実施形態において、処理モジュールは、具体的には、第１検出情報が、第１設備が海底ケーブルを介して第２設備から第２ハートビート信号を受信していないことを指示する場合、第２設備から第１設備への伝送方向における海底ケーブルに障害が発生したと決定し、第１検出情報が、第１設備が海底ケーブルを介して第２設備から第２ハートビート信号を受信したことを指示する場合、第２設備から第１設備への伝送方向における海底ケーブルに障害が発生していないと決定するために用いられる。
【００２６】
可能な実施形態において、処理モジュールは、具体的には、第２検出情報が、第２設備が海底ケーブルを介して第１設備から第１ハートビート信号を受信していないことを指示する場合、第１設備から第２設備への伝送方向における海底ケーブルに障害が発生したと決定し、第２検出情報が、第２設備が海底ケーブルを介して第１設備から第１ハートビート信号を受信したことを指示する場合、第１設備から第２設備への伝送方向における海底ケーブルに障害が発生していないと決定するために用いられる。
【００２７】
可能な実施形態において、処理モジュールは、さらに、前記第１プリセット時間内に第１設備から第１検出情報を受信し、第２プリセット時間内に第２設備から第２検出情報を受信する前に、第１設備及び第２設備に障害がないことを検出するために用いられる。
【００２８】
可能な実施形態において、送受信モジュールは、さらに、第１プリセット時間内に第１設備から第１検出情報を受信する前記ことの前に、第２設備が第２ハートビート信号の送信に成功したことを指示するための第２指示情報を受信するために用いられ、送受信モジュールは、さらに、第２プリセット時間内に第２設備から第２検出情報を受信する前記ことの前に、第１設備が第１ハートビート信号の送信に成功したことを指示するための第１指示情報を受信するために用いられる。
【００２９】
可能な実施形態において、送受信モジュールは、さらに、処理モジュールが第２設備から第１設備への伝送方向における海底ケーブルに障害が発生したと決定する前に、第３プリセット時間内に第１設備から、第１設備が海底ケーブルを介して第２設備から第４ハートビート信号を受信したか否かを指示するための第３検出情報を受信するために用いられる。
【００３０】
可能な実施形態において、送受信モジュールは、さらに、処理モジュールが第１設備から第２設備への伝送方向における海底ケーブルに障害が発生したと決定する前に、第４プリセット時間内に第２設備から、第２設備が海底ケーブルを介して第１設備から第３ハートビート信号を受信したか否かを指示するための第４検出情報を受信するために用いられる。
【００３１】
可能な実施形態において、第１ハートビート信号及び第２ハートビート信号の変調周波数は、エルビウム添加光ファイバ増幅器ＥＤＦＡのカットオフ周波数よりも高い。
【００３２】
可能な実施形態において、第１ハートビート信号及び第２ハートビート信号の変調深度は、プリセット閾値よりも小さい。
【００３３】
可能な実施形態において、第１ハートビート信号及び第２ハートビート信号の搬送波信号は、総光パワー変調方式を採用する。
【００３４】
第４態様では、第１設備を提供し、当該設備は、海底ケーブルを介して第２設備に、第１設備から第２設備への伝送方向における海底ケーブルに障害が発生したか否かを決定するための第１ハートビート信号を送信するための送受信モジュールと、第１プリセット時間内に送受信モジュールが海底ケーブルを介して第２設備からの第２ハートビート信号を受信したか否かに基づいて、第１設備が海底ケーブルを介して第２設備から第２ハートビート信号を受信したか否かを指示するための第１検出情報を決定するための処理モジュールとを含み、送受信モジュールは、さらに、ネットワーク管理システムに第１検出情報を送信するために用いられる。
【００３５】
可能な実施形態において、送受信モジュールは、さらに、ネットワーク管理システムに、第１設備が第１ハートビート信号の送信に成功したことを指示するための第１指示情報を送信するために用いられる。
【００３６】
可能な実施形態において、送受信モジュールは、さらに、第２設備に、第１設備から第２設備への伝送方向における海底ケーブルに障害が発生したか否かを決定するための第３ハートビート信号を送信するために用いられる。
【００３７】
可能な実施形態において、処理モジュールは、さらに、第２プリセット時間内に海底ケーブルを介して第２設備からの第４ハートビート信号を受信したか否かに基づいて、第１設備が海底ケーブルを介して第２設備から第４ハートビート信号を受信したか否かを指示するための第２検出情報を決定するために用いられ、送受信モジュールは、さらに、ネットワーク管理システムに第２検出情報を送信するために用いられる。
【００３８】
可能な実施形態において、第１ハートビート信号及び第２ハートビート信号の変調周波数は、エルビウム添加光ファイバ増幅器ＥＤＦＡのカットオフ周波数よりも高い。
【００３９】
可能な実施形態において、第１ハートビート信号及び第２ハートビート信号の変調深度は、プリセット閾値よりも小さい。
【００４０】
可能な実施形態において、第１ハートビート信号及び第２ハートビート信号の搬送波信号は、総光パワー変調方式を採用する。
【００４１】
第５態様では、通信装置を提供し、当該装置は、プロセッサとメモリとを含み、メモリはプログラムを保存するために用いられ、プロセッサはメモリに保存されているプログラムを呼び出して、第１態様及びそのいずれかの実施形態に記載の海底ケーブル障害の判断方法を実行する。
【００４２】
第６態様では、通信装置を提供し、当該装置は、プロセッサとメモリとを含み、メモリはプログラムを保存するために用いられ、プロセッサはメモリに保存されているプログラムを呼び出して、第２態様及びそのいずれかの実施形態に記載の海底ケーブル障害の判断
方法を実行する。
【００４３】
第７態様では、コンピュータ読み取り可能な記憶媒体を提供し、当該コンピュータ読み取り可能な記憶媒体には命令が記憶されており、当該命令がコンピュータ又はプロセッサ上で実行されると、コンピュータ又はプロセッサに第１態様から第２態様及びそれらのいずれかの可能な実施形態に記載の海底ケーブル障害の判断方法を実行させる。
【００４４】
第８態様では、命令を含むコンピュータプログラム製品を提供し、当該命令がコンピュータ又はプロセッサ上で実行されると、コンピュータ又はプロセッサに第１態様から第２態様及びそれらのいずれかの可能な実施形態に記載の海底ケーブル障害の判断方法を実行させる。
【００４５】
第９態様では、通信システムを提供し、当該システムは、第３態様に記載のネットワーク管理システム及び少なくとも２つの第４態様に記載の第１設備を含むか、又は、第５態様に記載の通信装置及び少なくとも２つの第６態様に記載の通信装置を含む。
【００４６】
第３態様から第９態様の技術的効果については、第１態様から第２態様の様々な可能な実施形態の内容を参照することができる。
【図面の簡単な説明】
【００４７】
【図１】本願の実施例にて提供されるオープン海底ケーブル通信システムのアーキテクチャ概略図である。
【図２】本願の実施例にて提供される通信システムのアーキテクチャ概略図である。
【図３】本願の実施例にて提供される通信装置の構造概略図である。
【図４】本願の実施例にて提供される海底ケーブル障害の判断方法のフロー概略図。
【図５】本願の実施例にて提供される海底ケーブル障害の例示の概略図１である。
【図６】本願の実施例にて提供される海底ケーブル障害の例示の概略図２である。
【図７】本願の実施例にて提供されるネットワーク管理システムの構造概略図である。
【図８】本願の実施例にて提供される第１設備又は第２設備の構造概略図である。
【発明を実施するための形態】
【００４８】
図２に示すように、本願の実施例にて提供される通信システムは、ネットワーク管理システム（ｎｅｔｗｏｒｋ  ｍａｎａｇｅｍｅｎｔ  ｓｙｓｔｅｍ、ＮＭＳ）１１と、少なくとも２つのオープン海底ケーブルアクセスシステム（ｏｐｅｎ  ｃａｂｌｅ  ａｃｃｅｓｓ  ｅｑｕｉｐｍｅｎｔ、ＯＣＡＥ）１２とを含む。好ましくは、当該システムは、水中設備１３をさらに含む。
【００４９】
水中設備１３は、海底ケーブル、光増幅器、分岐装置（ｂｒａｎｃｈｉｎｇ  ｕｎｉｔ、ＢＵ）、再構成可能な光アドドロップマルチプレクサ（ｒｅｃｏｎｆｉｇｕｒａｂｌｅ
ｏｐｔｉｃａｌ  ａｄｄ−ｄｒｏｐ  ｍｕｌｔｉｐｌｅｘｅｒ、ＲＯＡＤＭ）などを含み、本願では、水中設備１３が海底ケーブルの障害をモニターするスマート監視機能を有することを要求しない。
【００５０】
ＯＣＡＥ１２はコマンド応答装置（ｃｏｍｍａｎｄ  ｒｅｓｐｏｎｓｅ  ｅｑｕｉｐｍｅｎｔ、ＣＲＥ）を含み、各ＣＲＥ同士は互いにハートビート信号を送信し、且つ反対端のハートビート信号を検出する。異なるＯＣＡＥ１２は、異なる端局（例えば、端局１〜４）内に位置してもよい。
【００５１】
ネットワーク管理システムＮＭＳは、データ通信ネットワーク（ｄａｔａ  ｃｏｍｍｕ
ｎｉｃａｔｉｏｎ  ｎｅｔｗｏｒｋ、ＤＣＮ）を介して各端局に接続して管理し、通信方式は、華為組み込み型制御チャネル（Ｈｕａｗｅｉ  ｅｍｂｅｄｄｅｄ  ｃｏｎｔｒｏｌ
ｃｈａｎｎｅｌ、ＨＷＥＣＣ）などの帯域内通信、仮想プライベートネットワーク（ｖｉｒｔｕａｌ  ｐｒｉｖａｔｅ  ｎｅｔｗｏｒｋ、ＶＮＰ）などの帯域外通信、衛星通信などがある。各端局のＯＣＡＥは統一されたネットワーク管理システムＮＭＳに接続され、ネットワーク管理システムＮＭＳはＯＣＡＥを介してハートビート信号に対する各ＣＲＥの検出結果を集約することもでき、海底ケーブルのトポロジー構造総合解析に基づいて、障害が発生したか否か及び障害が発生したセグメントを判断する。さらに、ＣＲＥ検出はリアルタイムで行われるため、ＮＭＳもリアルタイムでＣＲＥと通信することができ、それによりＮＭＳは障害が発生したか否か及び障害が発生したセグメントを迅速に判断することができる。
【００５２】
ＮＭＳ１１及びＯＣＡＥ１２を通信装置と総称することができる。例示的に、図３に示すように、本願の実施例は通信装置の構造概略図を提供する。通信装置２００は、少なくとも１つのプロセッサ２０１と、少なくとも１つのメモリ２０２と、少なくとも１つの通信インターフェース２０３とを含む。ここで、少なくとも１つのプロセッサ２０１と、少なくとも１つのメモリ２０２と、少なくとも１つの通信インターフェース２０３とはバスを介して接続することができる。
【００５３】
メモリ２０２は、コンピュータプログラムコードを記憶するために用いられる。
【００５４】
プロセッサ２０１は、メモリ２０２に記憶されているコンピュータプログラムコードを呼び出して、下記の各方法の実施例の第１設備、第２設備又はネットワーク管理システムの機能を実行するために用いられる。
【００５５】
通信インターフェース２０３は、他の通信装置との通信を行うために用いられる。当該通信インターフェース２０３は、光ファイバ通信方式で通信することができる。
【００５６】
図４に示すように、本願は、上記のシステムに適用される海底ケーブル障害の判断方法を提供し、当該方法は、Ｓ４０１〜Ｓ４０７を含む。
【００５７】
Ｓ４０１、第１設備が海底ケーブルを介して第２設備に第１ハートビート信号を送信する。
【００５８】
これに対応して、第２設備は海底ケーブルを介して第１設備から、第１設備から第２設備への伝送方向における海底ケーブルに障害が発生したか否かを決定するための第１ハートビート信号を受信する。
【００５９】
第１設備及び第２設備は、上述のＯＣＡＥ１２であってもよく、さらに、上述のＣＲＥであってもよい。
【００６０】
好ましくは、第１設備が海底ケーブルを介して第２設備に第１ハートビート信号を送信した後、第１設備はネットワーク管理システムに、第１設備が第１ハートビート信号の送信に成功したことを指示するための第１指示情報を送信することができる。例示的に、第１指示情報は、完了（ｄｏｎｅ）イベントを利用して伝達されてもよく、完了イベントは、例えばコマンドの送信完了や反対端の信号の受信完了などのあるアクションの完了を表し、各ネットワークエレメントによってネットワーク管理システムに報告される。
【００６１】
Ｓ４０２、第２設備が海底ケーブルを介して第１設備に第２ハートビート信号を送信する。
【００６２】
これに対応して、第１設備は海底ケーブルを介して第２設備から、第２設備から第１設備への伝送方向における海底ケーブルに障害が発生したか否かを決定するための第２ハートビート信号を受信する。
【００６３】
好ましくは、第２設備が海底ケーブルを介して第１設備に第２ハートビート信号を送信した後、第２設備はネットワーク管理システムに、第２設備が第２ハートビート信号の送信に成功したことを指示するための第２指示情報を送信できる。例示的に、第２指示情報は、完了（ｄｏｎｅ）イベントを利用して伝達されてもよい。
【００６４】
本願の実施例にかかるハートビート信号は、例えば特定長さの連続ビット１、特定長さの０及び１周期信号などの周期的に送信される特定信号を指してもよく、本願では限定しない。
【００６５】
第１ハートビート信号及び第２ハートビート信号は、以下の条件のうちの少なくとも１つを満たし得る。
【００６６】
第１ハートビート信号及び第２ハートビート信号の変調周波数がエルビウム添加光ファイバ増幅器（ｅｒｂｉｕｍ  ｄｏｐｅｄ  ｆｉｂｅｒ  ａｍｐｌｉｆｉｅｒ、ＥＤＦＡ）のカットオフ周波数よりも高いため、ＥＤＦＡによるハートビート信号の減衰を小さくしたり、なくなるようにしたりすることができる。
【００６７】
第１ハートビート信号及び第２ハートビート信号の変調深度はプリセット閾値よりも小さく、例えば５％より小さいため、トラフィック伝送に影響を与えず、システム光信号対雑音比（ｏｐｔｉｃａｌ  ｓｉｇｎａｌ  ｔｏ  ｎｏｉｓｅ  ｒａｔｉｏ、ＯＳＮＲ）を低下させないようにすることができる。
【００６８】
第１ハートビート信号及び第２ハートビート信号の搬送波信号は総光パワー変調方式（ａｍｐｌｉｔｕｄｅ  ｍｏｄｕｌａｔｉｏｎ  ｔｈｅ  ｔｏｔａｌ  ｏｐｔｉｃａｌ  ｐｏｗｅｒ）を採用する。光パワー変調方式は、トラフィック帯域幅を占有しなくてもよい。
【００６９】
なお、第１ハートビート信号と第２ハートビート信号とは同じ光ファイバによって伝送されてもよく、異なる光ファイバによって伝送されてもよく、本願では限定しない。
【００７０】
Ｓ４０３、第１設備は、第１プリセット時間内に海底ケーブルを介して第２設備からの第２ハートビート信号を受信したか否かに基づいて第１検出情報を決定する。
【００７１】
第１検出情報は、第１設備が海底ケーブルを介して第２設備から第２ハートビート信号を受信したか否かを指示するために用いられ。
【００７２】
当該第１プリセット時間は、第１設備が第１ハートビート信号を送信した後のプリセット時間であってもよい。
【００７３】
Ｓ４０４、第１設備がネットワーク管理システムに第１検出情報を送信する。
【００７４】
これに対応して、ネットワーク管理システムが第２プリセット時間内に第１設備から第１検出情報を受信する。
【００７５】
当該第２プリセット時間は、ネットワーク管理システムが前回第１検出情報を受信した
後のプリセット時間であってもよい。
【００７６】
なお、ネットワーク管理システムが第２プリセット時間内に第１設備から第１検出情報を受信する前に、ネットワーク管理システムは第１設備に障害がないことを検出できる。第１設備に障害が発生した場合、第１設備からフィードバックされる第１検出情報が不正確であるか、又は、ネットワーク管理システムが第２プリセット時間内に第１設備から第１検出情報を受信できない可能性がある。
【００７７】
ネットワーク管理システムが、第１設備に障害がないことを検出する方式は、第１設備は障害が発生すると、障害警報を能動的にネットワーク管理システムに報告し、ネットワーク管理システムは保存した後、保存されている各設備の障害警報を照会することにより、第１設備に障害がないことを検出するか、又は、ネットワーク管理システムが第１設備に障害警報があるか否かを能動的に要求し、それにより第１設備に障害がないことを検出することを含み得る。
【００７８】
好ましくは、ネットワーク管理システムが第２プリセット時間内に第１設備から第１検出情報を受信する前に、ネットワーク管理システムは第２設備から第２指示情報を受信することができる。
【００７９】
第１設備が上述のＣＲＥである場合、第１設備は、ネットワーク管理システムに第１検出情報を直接送信するか、又は、ＯＣＡＥにより一定期間の第１検出情報を集約して、ＯＣＡＥを介してネットワーク管理システムに第１検出情報を送信してもよく、本願では限定しない。
【００８０】
Ｓ４０５、第２設備が第３プリセット時間内に海底ケーブルを介して第１設備からの第１ハートビート信号を受信したか否かに基づいて第２検出情報を決定する。
【００８１】
第２検出情報は第２設備が海底ケーブルを介して第１設備から第１ハートビート信号を受信したか否かを指示するために用いられる。
【００８２】
当該第３プリセット時間は、第２設備が第２ハートビート信号を送信した後のプリセット時間であってもよい。
【００８３】
Ｓ４０６、第２設備がネットワーク管理システムに第２検出情報を送信する。
【００８４】
これに対応して、ネットワーク管理システムは、第４プリセット時間内に第２設備から第２検出情報を受信する。
【００８５】
なお、ネットワーク管理システムが第４プリセット時間内に第２設備から第２検出情報を受信する前に、ネットワーク管理システムは第２設備に障害がないことを検出できる。第２設備に障害が発生した場合、第２設備からフィードバックされる第２検出情報が不正確であるか、又はネットワーク管理システムが第４プリセット時間内に第２設備から第２検出情報を受信できない可能性がある。
【００８６】
ネットワーク管理システムが、第２設備に障害がないことを検出する方式は、第２設備は障害が発生すると、障害警報を能動的にネットワーク管理システムに報告し、ネットワーク管理システムは保存した後、保存されている各設備の障害警報を照会することにより、第２設備に障害がないことを検出するか、又は、ネットワーク管理システムが第２設備に障害警報があるか否かを能動的に要求し、それにより第２設備に障害がないことを検出することを含み得る。
【００８７】
好ましくは、ネットワーク管理システムが第４プリセット時間内に第２設備から第２検出情報を受信する前に、ネットワーク管理システムは第１設備から第１指示情報を受信することができる。
【００８８】
第２設備が上述のＣＲＥである場合、第２設備は、ネットワーク管理システムに第２検出情報を直接送信するか、又は、ＯＣＡＥにより一定期間の第２検出情報を集約して、ＯＣＡＥを介してネットワーク管理システムに第２検出情報を送信してもよく、本願では限定しない。
【００８９】
Ｓ４０７、ネットワーク管理システムは、第１検出情報及び第２検出情報に基づいて第１設備と第２設備との間の海底ケーブルに障害が発生したか否かを決定する。
【００９０】
光ファイバ通信は、光ファイバペアで双方向通信が構成されたものであり、送受信には独立の光ファイバが採用されるが、光ファイバペアのうちの１本の光ファイバに問題が生じると、送受信双方向通信が途絶える。ネットワーク管理システムは、海底ケーブルのトポロジー構造に基づいて、第１検出情報及び第２検出情報と組み合わせて総合的に解析して、第１設備と第２設備との間の海底ケーブルに障害が発生したか否かを決定することができる。
【００９１】
具体的には、第１検出情報が、第１設備が海底ケーブルを介して第２設備から第２ハートビート信号を受信していないことを指示する場合、ネットワーク管理システムは第２設備から第１設備への伝送方向における海底ケーブルに障害が発生したと決定する。第１検出情報が、第１設備が海底ケーブルを介して第２設備から第２ハートビート信号を受信したことを指示する場合、ネットワーク管理システムは第２設備から第１設備への伝送方向における海底ケーブルに障害が発生していないと決定する。
【００９２】
第２検出情報が、第２設備が海底ケーブルを介して第１設備から第１ハートビート信号を受信していないことを指示する場合、ネットワーク管理システムは第１設備から第２設備への伝送方向における海底ケーブルに障害が発生したと決定する。第２検出情報が、第２設備が海底ケーブルを介して第１設備から第１ハートビート信号を受信したことを指示する場合、ネットワーク管理システムは第１設備から第２設備への伝送方向における海底ケーブルに障害が発生していないと決定する。
【００９３】
さらに、判断の正確性を高めるために、送信端がハートビート信号をＮ回繰り返して送信してもよく、受信端がハートビート信号ごとにネットワーク設備に検出情報を送信してもよく、計Ｎ個の検出情報を送信する。Ｎ個の検出情報全部が、受信端がハートビート信号を受信していないことを指示する場合こそ、ネットワーク管理システムは送信端から受信端への伝送方向における海底ケーブルに障害が発生したと決定することができ、Ｎ個の検出情報のうち受信端がハートビート信号を受信したことを指示する検出情報が少なくとも１つある場合、ネットワーク管理システムは送信端から受信端への伝送方向における海底ケーブルに障害が発生していないと決定することができる。例示的に、Ｎは３であってもよい。
【００９４】
なお、送信端によるハートビート信号の繰り返し送信は、ネットワーク管理システムにより指示されてもよく、送信端が自らトリガーしてもよい。
【００９５】
例えば、第１設備が第１プリセット時間内に海底ケーブルを介して第２設備からの第２ハートビート信号を受信していない場合、第１設備は第２設備に、第１設備から第２設備への伝送方向における海底ケーブルに障害が発生したか否かを決定するための第３ハート
ビート信号を送信する。第１設備は、第６プリセット時間内に海底ケーブルを介して第１設備からの第３ハートビート信号を受信したか否かに基づいて、第１設備が海底ケーブルを介して第２設備から第４ハートビート信号を受信したか否かを指示するための第４検出情報を決定する。第１設備は、ネットワーク管理システムに第４検出情報を送信する。
【００９６】
第２設備が第２プリセット時間内に海底ケーブルを介して第１設備からの第１ハートビート信号を受信していない場合、第２設備は第１設備に、第２設備から第１設備への伝送方向における海底ケーブルに障害が発生したか否かを決定するための第４ハートビート信号を送信する。第１設備は、第５プリセット時間内に海底ケーブルを介して第２設備からの第４ハートビート信号を受信したか否かに基づいて、第１設備が海底ケーブルを介して第２設備から第４ハートビート信号を受信したか否かを指示するための第３検出情報を決定する。第１設備は、ネットワーク管理システムに第３検出情報を送信する。
【００９７】
ネットワーク管理システムが第２設備から第１設備への伝送方向における海底ケーブルに障害が発生したと決定する前に、ネットワーク管理システムは、第７プリセット時間内に第１設備から、第１設備が海底ケーブルを介して第２設備から第４ハートビート信号を受信したか否かを指示するための第３検出情報を受信する。
【００９８】
ネットワーク管理システムが第１設備から第２設備への伝送方向における海底ケーブルに障害が発生したと決定する前に、ネットワーク管理システムは、第８プリセット時間内に第２設備から、第２設備が海底ケーブルを介して第１設備から第３ハートビート信号を受信したか否かを指示するための第４検出情報を受信する。
【００９９】
なお、本願は、上記の２つの設備のみに限定されるものではなく、２つの設備間の海底ケーブルに障害が発生したか否かだけを決定できることに限定されるものでもなく、３つ以上の設備がある場合、検出情報の共通集合を取ることにより、各設備間のセグメントの海底ケーブルに障害が発生したか否かを決定することができる。
【０１００】
例示的に、図５に示すように、４つの端局の間にＳ１〜Ｓ５の計５つのセグメントが含まれていると仮定する。表１は、ネットワーク管理システムが各設備から受信した検出情報１である。
【０１０１】
【表１】
2021525011.tif 000003
【０１０２】
表１に示す送信端はハートビート信号の送信端を指し、受信端はハートビート信号の受信端を指し、Ｙは検出情報が、受信端が海底ケーブルを介して送信端からハートビート信号を受信したことであることを表し、Ｎは検出情報が、受信端が海底ケーブルを介して送信端からハートビート信号を受信していないことであることを表す。例示的に、第１列のデータを例とすると、ＣＲＥ１は送信端として、ＣＲＥ２〜４のそれぞれにハートビート信号を送信する場合、ＣＲＥ２及びＣＲＥ４がＣＲＥ１から送信されたハートビート信号を受信し、ＣＲＥ３がＣＲＥ１から送信されたハートビート信号を受信していない。
【０１０３】
表１に示す内容からわかるように、ＣＲＥ１とＣＲＥ２との間で互いに送信するハートビート信号は、いずれも相手に受信されるので、ＣＲＥ１とＣＲＥ２との間の海底ケーブル（セグメントＳ１〜Ｓ３）に障害が発生していない。同様に、ＣＲＥ１とＣＲＥ４との間、ＣＲＥ２とＣＲＥ４との間で互いに送信するハートビート信号は、いずれも相手に受信されるので、ＣＲＥ１とＣＲＥ４との間の海底ケーブル（セグメントＳ１、Ｓ２、Ｓ５）及びＣＲＥ２とＣＲＥ４との間の海底ケーブル（セグメントＳ３、Ｓ５）にも障害が発生していない。一方、ＣＲＥ３は受信端として、他のＣＲＥのハートビート信号を受信せず、ＣＲＥ３は送信端として、他のＣＲＥがＣＲＥ３から送信されるハートビート信号を受信しないので、セグメントＳ４の海底ケーブルに障害が発生したと決定できる。
【０１０４】
例示的に、図６に示すように、４つの端局の間にＳ１〜Ｓ５の計５つのセグメントがあると仮定する。表２は、ネットワーク管理システムが各設備から受信した検出情報２である。
【０１０５】
【表２】
2021525011.tif 000004
【０１０６】
表２に示す送信端はハートビート信号の送信端を指し、受信端はハートビート信号の受信端を指し、Ｙは検出情報が、受信端が海底ケーブルを介して送信端からハートビート信号を受信したことであることを表し、Ｎは検出情報が、受信端が海底ケーブルを介して送信端からハートビート信号を受信していないことであることを表す。例示的に、第１列のデータを例とすると、ＣＲＥ１は送信端として、ＣＲＥ２〜４のそれぞれにハートビート信号を送信する場合、ＣＲＥ３とＣＲＥ４とはＣＲＥ１から送信されるハートビート信号を受信し、ＣＲＥ２はＣＲＥ１から送信されるハートビート信号を受信していない。
【０１０７】
表２に示す内容からわかるように、ＣＲＥ１とＣＲＥ３との間で互いに送信するハートビート信号は、いずれも相手に受信されるので、ＣＲＥ１とＣＲＥ３との間の海底ケーブル（セグメントＳ１、Ｓ４）に障害が発生していない。同様に、ＣＲＥ１とＣＲＥ４との間、ＣＲＥ３とＣＲＥ４との間で互いに送信するハートビート信号は、いずれも相手に受信されるので、ＣＲＥ１とＣＲＥ４との間の海底ケーブル（セグメントＳ１、Ｓ２、Ｓ５）及びＣＲＥ３とＣＲＥ４との間の海底ケーブル（セグメントＳ２、Ｓ４、Ｓ５）にも障害が発生していない。一方、ＣＲＥ２は受信端として、他のＣＲＥのハートビート信号を受信せず、ＣＲＥ２は送信端として、他のＣＲＥがＣＲＥ２から送信されるハートビート信号を受信しないので、セグメントＳ３の海底ケーブルに障害が発生したと決定できる。
【０１０８】
本願の実施例にて提供される海底ケーブル障害の判断方法は、海底ケーブルを介して通信する設備同士が互いにハートビート信号を送信し、ネットワーク管理システムにより各設備が反対端のハートビート信号を受信したか否かの結果が集約され、それによりどの２つの設備間の海底ケーブルに障害が発生したかを決定し、ＴＴＥに頼らずに海底ケーブルに障害が発生したか否かを検出することが実現される。
【０１０９】
以上の各実施例において、ネットワーク管理システムによって実現される方法及び／又はステップは、ネットワーク管理システムに使用可能な部材（例えば、チップ又は回路）によって実現されてもよく、ネットワーク設備により実現される方法及び／又はステップは、ネットワーク設備に使用可能な部材により実現されてもよいことは理解できるだろう。
【０１１０】
上記は、主に各ネットワークエレメント間の相互作用の観点から、本願の実施例にて提供される解決手段について説明した。これに対応して、本願の実施例は、通信装置をさらに提供し、当該通信装置は上記の様々な方法を実現するために用いられる。当該通信装置は、上記の方法の実施例のネットワーク管理システムであっても、又は上記のネットワーク管理システムを含む装置であっても、又は上記のネットワーク管理システムに使用可能な部材であってもよい。当該通信装置は、上記の機能を実施するために、各機能を実行するための対応するハードウェア構造及び／又はソフトウェアモジュールを含むことは理解できるだろう。当業者であれば、本願は、本明細書に開示される実施例で説明した各例示のユニット及びアルゴリズムステップと組み合わせて、ハードウェア又はハードウェア及びコンピュータソフトウェアの組み合わせの形態で実現され得ることを容易に認識できる。ある機能がハードウェアで実行されるか、又は、コンピュータソフトウェアでハードウェアを駆動する方式で実行されるかは、技術的解決手段の特定の応用及び設計上の制約条件によって決定される。専門技術者は、説明された機能を実現するために特定の応用ごとに異なる方法を使用し得るが、このような実施は本願の保護範囲から逸脱するものと考えられるべきではない。
【０１１１】
本願の実施例は、上記の方法の実施例に基づいて通信装置を機能モジュールに分割してもよく、例えば、各機能に対応して各機能モジュールに分割してもよく、２つ以上の機能を１つの処理モジュールに集積してもよい。上記の集積されたモジュールは、ハードウェア形態で実現されてもよく、ソフトウェア機能モジュール形態で実現されてもよい。なお、本願の実施例において、モジュールに対する分割は模式的なものであり、論理的な機能分割にすぎず、実際の実現に際しては他の分割形態があり得る。
【０１１２】
例えば、通信装置を上記の方法の実施例のネットワーク管理システムとする場合を例に挙げる。図７は、ネットワーク管理システム７０の構造概略図を示す。当該ネットワーク管理システム７０は、処理モジュール７０１と、送受信モジュール７０２とを含む。送受信モジュール７０２は、送信及び／又は受信機能を実現するための送受信ユニットとも呼ばれ、例えば、送受信回路、送受信機、トランシーバ又は通信インターフェースであってもよい。
【０１１３】
送受信モジュール７０２は、第１プリセット時間内に第１設備から、第１設備が海底ケーブルを介して第２設備から第２ハートビート信号を受信したか否かを指示するための第１検出情報を受信し、第２プリセット時間内に第２設備から、第２設備が海底ケーブルを介して第１設備から第１ハートビート信号を受信したか否かを指示するための第２検出情報を受信するために用いられる。
【０１１４】
処理モジュール７０１は、送受信モジュール７０２が受信した第１検出情報及び第２検出情報に基づいて第１設備と第２設備との間の海底ケーブルに障害が発生したか否かを決定するために用いられる。
【０１１５】
好ましくは、処理モジュール７０１は、具体的には、
第１検出情報が、第１設備が海底ケーブルを介して第２設備から第２ハートビート信号を受信していないことを指示する場合、第２設備から第１設備への伝送方向における海底ケーブルに障害が発生したと決定し、第１検出情報が、第１設備が海底ケーブルを介して
第２設備から第２ハートビート信号を受信したことを指示する場合、第２設備から第１設備への伝送方向における海底ケーブルに障害が発生していないと決定するために用いられる。
【０１１６】
好ましくは、処理モジュール７０１は、具体的には、
第２検出情報が、第２設備が海底ケーブルを介して第１設備から第１ハートビート信号を受信していないことを指示する場合、第１設備から第２設備への伝送方向における海底ケーブルに障害が発生したと決定し、第２検出情報が、第２設備が海底ケーブルを介して第１設備から第１ハートビート信号を受信したことを指示する場合、第１設備から第２設備への伝送方向における海底ケーブルに障害が発生していないと決定するために用いられる。
【０１１７】
好ましくは、処理モジュール７０１は、さらに、送受信モジュール７０２が第１プリセット時間内に第１設備から第１検出情報を受信し、第２プリセット時間内に第２設備から第２検出情報を受信する前に、第１設備及び第２設備に障害がないことを検出するために用いられる。
【０１１８】
好ましくは、送受信モジュール７０２は、さらに、第１プリセット時間内に第１設備から第１検出情報を受信する前に、第２設備が第２ハートビート信号の送信に成功したことを指示するための第２指示情報を受信するために用いられ、送受信モジュール７０２は、さらに、第２プリセット時間内に第２設備から第２検出情報を受信する前に、第１設備が第１ハートビート信号の送信に成功したことを指示するための第１指示情報を受信するために用いられる。
【０１１９】
好ましくは、送受信モジュール７０２は、さらに、処理モジュール７０１が第２設備から第１設備への伝送方向における海底ケーブルに障害が発生したと決定する前に、第３プリセット時間内に第１設備から、第１設備が海底ケーブルを介して第２設備から第４ハートビート信号を受信したか否かを指示するための第３検出情報を受信するために用いられる。
【０１２０】
好ましくは、送受信モジュール７０２は、さらに、処理モジュール７０１が第１設備から第２設備への伝送方向における海底ケーブルに障害が発生したと決定する前に、第４プリセット時間内に第２設備から、第２設備が海底ケーブルを介して第１設備から第３ハートビート信号を受信したか否かを指示するための第４検出情報を受信するために用いられる。
【０１２１】
好ましくは、第１ハートビート信号及び第２ハートビート信号の変調周波数は、エルビウム添加光ファイバ増幅器ＥＤＦＡのカットオフ周波数よりも高い。
【０１２２】
好ましくは、第１ハートビート信号及び第２ハートビート信号の変調深度は、プリセット閾値よりも小さい。
【０１２３】
好ましくは、第１ハートビート信号及び第２ハートビート信号の搬送波信号は、総光パワー変調方式を採用する。
【０１２４】
ここで、上記の方法の実施例に係る各ステップのすべての関連内容は、いずれも対応する機能モジュールの機能の説明又は前述の方法の説明に援用され得、ここでは詳細な説明を省略する。
【０１２５】
本実施例において、当該ネットワーク管理システム７０は、集積の方式を採用して分割
された各機能モジュールの形態で提示される。ここの「モジュール」は、特定のＡＳＩＣ、回路、１つ又は複数のソフトウェアやファームウェアプログラムを実行するプロセッサ及びメモリ、集積論理回路、及び／又は他の上記の機能を提供できるデバイスを指し得る。単純な実施例において、当業者は、当該ネットワーク管理システム７０が図３に示される通信装置２００の形態を採用できることを想到し得る。
【０１２６】
例えば、図３に示される通信装置２００のプロセッサ２０１は、メモリ２０２に保存されているコンピュータ実行命令を呼び出すことにより、通信装置２００に上記の方法の実施例の海底ケーブル障害の判断方法を実行させることができる。
【０１２７】
具体的には、図７における処理モジュール７０１及び送受信モジュール７０２の機能／実現プロセスは、図３に示される通信装置２００のプロセッサ２０１がメモリ２０２に保存されているコンピュータ実行命令を呼び出すことにより実現され得る。又は、図７における処理モジュール７０１の機能／実現プロセスは、図３に示される通信装置２００のプロセッサ２０１がメモリ２０２に保存されているコンピュータ実行命令を呼び出すことにより実現され得、図７における送受信モジュール７０２の機能／実現プロセスは、図３に示される通信装置２００の通信インターフェース２０３により実現され得る。
【０１２８】
本実施例にて提供される通信装置２００は、上記の海底ケーブル障害の判断方法を実行できるので、得られる技術的効果は上記の方法の実施例を参照でき、ここでは詳細な説明を省略する。
【０１２９】
又は、例えば、通信装置を上記の方法の実施例の第１設備又は第２設備とする場合を例に挙げる。図８は、第１設備８０の構造概略図を示す。当該第１設備８０は、処理モジュール８０１と、送受信モジュール８０２とを含む。送受信モジュール８０２は、送信及び／又は受信機能を実現するための送受信ユニットとも呼ばれ、例えば、送受信回路、送受信機、トランシーバ又は通信インターフェースであってもよい。
【０１３０】
送受信モジュール８０２は、海底ケーブルを介して第２設備に、第１設備から第２設備への伝送方向における海底ケーブルに障害が発生したか否かを決定するための第１ハートビート信号を送信するために用いられる。
【０１３１】
処理モジュール８０１は、送受信モジュールが海底ケーブルを介して第２設備からの第２ハートビート信号を受信したか否かに基づいて、第１設備が海底ケーブルを介して第２設備から第２ハートビート信号を受信したか否かを指示するための検出情報を決定するために用いられる。
【０１３２】
送受信モジュール８０２は、さらに、ネットワーク管理システムに検出情報を送信するために用いられる。
【０１３３】
好ましくは、送受信モジュール８０２は、さらに、ネットワーク管理システムに、第１設備が第１ハートビート信号の送信に成功したことを指示するための第１指示情報を送信するために用いられる。
【０１３４】
好ましくは、送受信モジュール８０２は、さらに、第２設備に、第１設備から第２設備への伝送方向における海底ケーブルに障害が発生したか否かを決定するための第３ハートビート信号を送信するために用いられる。
【０１３５】
好ましくは、処理モジュール８０１は、さらに、第２プリセット時間内に海底ケーブルを介して第２設備からの第４ハートビート信号を受信したか否かに基づいて、第１設備が
海底ケーブルを介して第２設備から第４ハートビート信号を受信したか否かを指示するための第２検出情報を決定するために用いられ、送受信モジュール８０２は、さらに、ネットワーク管理システムに第２検出情報を送信するために用いられる。
【０１３６】
好ましくは、第１ハートビート信号及び第２ハートビート信号の変調周波数は、エルビウム添加光ファイバ増幅器ＥＤＦＡのカットオフ周波数よりも高い。
【０１３７】
好ましくは、第１ハートビート信号及び第２ハートビート信号の変調深度は、プリセット閾値よりも小さい。
【０１３８】
好ましくは、第１ハートビート信号及び第２ハートビート信号の搬送波信号は、総光パワー変調方式を採用する。
【０１３９】
ここで、上記の方法の実施例に係る各ステップのすべての関連内容は、いずれも対応する機能モジュールの機能の説明又は前述の方法の説明に援用され得、ここでは詳細な説明を省略する。
【０１４０】
本実施例において、当該第１設備８０は、集積の方式を採用して分割された各機能モジュールの形態で提示される。ここの「モジュール」は、特定のＡＳＩＣ、回路、１つ又は複数のソフトウェアやファームウェアプログラムを実行するプロセッサ及びメモリ、集積論理回路、及び／又は他の上記の機能を提供できるデバイスを指し得る。単純な実施例において、当業者は、当該第１設備８０が図３に示される通信装置２００の形態を採用できることを想到し得る。
【０１４１】
例えば、図３に示される通信装置２００のプロセッサ２０１は、メモリ２０２に記憶されているコンピュータ実行命令を呼び出すことにより、通信装置２００に上記の方法の実施例の海底ケーブル障害の判断方法を実行させることができる。
【０１４２】
具体的には、図８における処理モジュール８０１及び送受信モジュール８０２の機能／実現プロセスは、図３に示される通信装置２００のプロセッサ２０１がメモリ２０２に記憶されているコンピュータ実行命令を呼び出すことにより実現され得る。又は、図８における処理モジュール８０１の機能／実現プロセスは、図３に示される通信装置２００のプロセッサ２０１がメモリ２０２に記憶されているコンピュータ実行命令を呼び出すことにより実現され得、図８における送受信モジュール８０２の機能／実現プロセスは、図３に示される通信装置２００の通信インターフェース２０３により実現され得る。
【０１４３】
本実施例にて提供される通信装置２００は、上記の海底ケーブル障害の判断方法を実行できるので、得られる技術的効果は上記の方法の実施例を参照でき、ここでは詳細な説明を省略する。
【０１４４】
本願の実施例は、通信装置をさらに提供し、当該通信装置は、プロセッサとメモリとを含み、前記メモリはプログラムを記憶するために用いられ、前記プロセッサがメモリに保存されているプログラムを呼び出して、通信装置に図４におけるネットワーク管理システムの海底ケーブル障害の判断方法を実行させる。
【０１４５】
本願の実施例は、通信装置をさらに提供し、当該通信装置は、プロセッサとメモリとを含み、前記メモリはプログラムを保存するために用いられ、前記プロセッサがメモリに保存されているプログラムを呼び出して、通信装置に図４における第１設備、第２設備の海底ケーブル障害の判断方法を実行させる。
【０１４６】
本願の実施例は、コンピュータ読み取り可能な記憶媒体をさらに提供し、当該コンピュータ読み取り可能な記憶媒体には命令が保存されており、当該命令がコンピュータ又はプロセッサ上で実行されると、コンピュータ又はプロセッサに図４のネットワーク管理システム、又は、第１設備、第２設備の海底ケーブル障害の判断方法を実行させる。
【０１４７】
本願の実施例は、命令を含むコンピュータプログラム製品を提供し、命令がコンピュータ又はプロセッサ上で実行されると、コンピュータ又はプロセッサに図４のネットワーク管理システム、又は、第１設備、第２設備の海底ケーブル障害の判断方法を実行させる。
【０１４８】
本願の実施例は、チップシステムを提供し、当該チップシステムは、通信装置が図４におけるネットワーク管理システムの海底ケーブル障害の判断方法を実施するためのプロセッサを含む。例えば、ネットワーク管理システムは、第１プリセット時間内に第１設備から、第１設備が海底ケーブルを介して第２設備から第２ハートビート信号を受信したか否かを指示するための第１検出情報を受信し、第２プリセット時間内に第２設備から、第２設備が海底ケーブルを介して第１設備から第１ハートビート信号を受信したか否かを指示するための第２検出情報を受信し、ネットワーク管理システムは、第１検出情報及び第２検出情報に基づいて第１設備と第２設備との間の海底ケーブルに障害が発生したか否かを決定する。
【０１４９】
可能な設計において、当該チップシステムは、メモリをさらに含み、当該メモリは、ネットワーク管理システムに必要なプログラム命令及びデータを保存するために用いられる。当該チップシステムは、チップ、集積回路を含んでもよく、チップ及び他のディスクリートデバイスを含んでもよく、本願の実施例ではこれに対して具体的に限定しない。
【０１５０】
本願の実施例は、チップシステムを提供し、当該チップシステムは、通信装置が図４における第１設備又は第２設備の通信方法を実行するためのプロセッサを含む。例えば、第１設備が海底ケーブルを介して第２設備に、第１設備から第２設備への伝送方向における海底ケーブルに障害が発生したか否かを決定するための第１ハートビート信号を送信し、第１設備が海底ケーブルを介して第２設備からの第２ハートビート信号を受信したか否かに基づいて、第１設備が海底ケーブルを介して第２設備から第２ハートビート信号を受信したか否かを指示するための検出情報を決定し、第１設備がネットワーク管理システムに検出情報を送信する。
【０１５１】
可能な設計において、当該チップシステムは、メモリをさらに含み、当該メモリは、第１設備又は第２設備に必要なプログラム命令及びデータを保存するために用いられる。当該チップシステムは、チップ、集積回路を含んでもよく、チップ及び他のディスクリートデバイスを含んでもよく、本願の実施例ではこれに対して具体的に限定しない。
【０１５２】
ここで、本願にて提供される通信装置、コンピュータ記憶媒体、コンピュータプログラム製品又はチップシステムは、いずれも上述の海底ケーブル障害の判断方法を実行するために用いられるため、達成できる効果は、上述の実施形態の有益効果を参照することができ、ここでは詳細な説明を省略する。
【０１５３】
本願の各実施例において、上記の各プロセスの番号の大きさは実行順序を意味せず、各プロセスの実行順序は、その機能及び内部論理によって決定されるべきであり、本願の実施例の実施プロセスを何等限定するものではないことを理解されたい。
【０１５４】
当業者は、本明細書に開示される実施例で説明した各例示のユニット及びアルゴリズムステップと組み合わせて、電子ハードウェア、又はコンピュータソフトウェアと電子ハードウェアとの組み合わせの形態で実現され得ることを認識できる。これらの機能がハード
ウェアで実行されるか、又はソフトウェア方式で実行されるかは、技術的解決手段の特定の応用及び設計上の制約条件によって決定される。専門技術者は、説明された機能を実現するために特定の応用ごとに異なる方法を使用し得るが、このような実現は本願の範囲から逸脱するものと考えられるべきではない。
【０１５５】
当業者には明らかなように、説明の便宜及び簡潔さのために、上記に説明されたシステム、装置及びユニットの具体的な動作プロセスは、前述の方法の実施例の対応するプロセスを参照できる。ここでは詳細な説明を省略する。
【０１５６】
本願にて提供されるいくつかの実施例において、開示されるシステム、設備及び方法は他の方式で実現されてもよいことを理解されたい。例えば、上述の設備の実施例は、模式的なものにすぎず、例えば前記ユニットの分割は論理機能の分割にすぎず、実際の実現では別の分割方式があり得る。例えば、複数のユニット又は部品は結合されるか又は別のシステムに集積されてもよく、又は、一部の特徴を無視するか又は実行しなくてもよい。別の点では、表示又は議論される互いの結合、直接結合、又は通信接続は、いくらかのインターフェース、設備又はユニットを介する間接結合又は通信接続であってもよく、電気的、機械的、又は他の形態であってもよい。
【０１５７】
分離されている部材として説明したユニットは、物理的に分離したものであってもなくてもよい。ユニットとして表示された部材は、物理的なユニットであってもなくてもよく、すなわち、同一の場所に位置しても、複数のネットワークユニット上に分散されてもよい。実際の必要性に応じて、一部のユニット又はすべてのユニットを用いて当該実施例の目的を実現することができる。
【０１５８】
また、本願の各実施例において、各機能ユニットは、１つの処理ユニットに集積されたものであっても、物理的に別々の部品として存在するものであっても、２つ以上のユニットが１つのユニットに集積されたものであってもよい。
【０１５９】
上記の実施例において、ソフトウェア、ハードウェア、ファームウェア又はそれらの任意の組み合わせによって全体的又は部分的に実現され得る。ソフトウェアプログラムを使用して実現する場合、コンピュータプログラム製品の形で全体的又は部分的に実現され得る。当該コンピュータプログラム製品は、１つ以上のコンピュータ命令を含む。コンピュータ上にコンピュータプログラム命令をロードして実行する場合、本願の実施例に記載のフロー又は機能が全体的又は部分的に生成される。前記コンピュータは、汎用コンピュータ、専用コンピュータ、コンピュータネットワーク、又は他のプログラマブル装置であり得る。前記コンピュータ命令は、コンピュータ読み取り可能な記憶媒体に保存されても、又は１つのコンピュータ読み取り可能な記憶媒体から別のコンピュータ読み取り可能な記憶媒体に伝送されてもよい。例えば、前記コンピュータ命令は、１つのウェブサイト、コンピュータ、サーバ又はデータセンタから、有線（例えば、同軸ケーブル、光ファイバ、デジタル加入者線（Ｄｉｇｉｔａｌ  Ｓｕｂｓｃｒｉｂｅｒ  Ｌｉｎｅ、ＤＳＬ））又は無線（例えば、赤外線、ワイヤレス、マイクロ波など）の方式で別のウェブサイト、コンピュータ、サーバ又はデータセンタに伝送される。前記コンピュータ読み取り可能な記憶媒体は、コンピュータがアクセスできる任意の利用可能な媒体、又は１つ以上の利用可能な媒体が集積されたサーバ、データセンタなどのデータ記憶設備であり得る。前記利用可能な媒体は、磁気媒体（例えば、フロッピーディスク、ハードディスク、磁気テープ）、光学媒体（例えば、ＤＶＤ）、又は半導体媒体（例えばソリッドステートディスク（Ｓｏｌｉｄ  Ｓｔａｔｅ  Ｄｉｓｋ、ＳＳＤ））などであり得る。
【０１６０】
本明細書に記載の内容は、本願の具体的な実施形態にすぎず、本願の保護範囲はこれらに限定されるわけではない。当業者が本願に開示されている技術範囲内で容易に想到し得
る変更又は置換は、いずれも本願の保護範囲に含まれるものとする。よって、本願の保護範囲は特許請求の範囲の内容に準拠すべきである。
【図１】
2021525011.tif 000005
【図２】
2021525011.tif 000006
【図３】
2021525011.tif 000007
【図４】
2021525011.tif 000008
【図５】
2021525011.tif 000009
【図６】
2021525011.tif 000010
【図７】
2021525011.tif 000011
【図８】
2021525011.tif 000012
【国際調査報告】
2021525011.tif 000013
2021525011.tif 000014
2021525011.tif 000015
2021525011.tif 000016
2021525011.tif 000017